(57)【特許請求の範囲】
【請求項１】
光学テープ上にデータおよび場所マークを書込むための装置であって、
光学系を備え、前記光学系は、
そこからレーザ光線を送出するための少なくとも１つのレーザ源と、
前記レーザ光線を受けて、前記光学テープ上の少なくとも１つのガードバンドに前記レーザ光線を向けて、その上に前記場所マークを書込むための複数のレンズとを含み、前記場所マークは、前記光学テープの書込可能セクション上に記憶可能な前記データの長手方向位置を示し、前記光学テープ上の場所を示す、装置。
【請求項２】
前記少なくとも１つのガードバンドは、前記書込可能セクションの外周に沿って長手方向に延在する、請求項１に記載の装置。
【請求項３】
前記少なくとも１つのガードバンドは、その上の前記データの破損を防止するために前記書込可能セクションの障壁として働くように配置される、請求項２に記載の装置。
【請求項４】
前記光学テープは、前記少なくとも１つのガードバンド上に書込まれるような前記場所マークを示す第１のデータの組を記憶するためのディレクトリを含む、請求項１〜３のいずれか１項に記載の装置。
【請求項５】
前記ディレクトリにアクセスして、前記書込可能セクション上の所望のデータを示す所望の場所マークを探索して、前記光学テープに沿って前記所望の場所マークへ移動して、前記所望のデータを得て、前記所望のデータを読出すための制御システムをさらに備える、請求項４に記載の装置。
【請求項６】
前記ディレクトリにアクセスして、前記書込可能セクション上の未書込セクションを示す所望の場所マークを探索して、前記光学テープに沿って前記未書込セクションへの前記所望の場所マークへ移動するための制御システムをさらに備える、請求項４に記載の装置。
【請求項７】
前記光学系は、前記少なくとも１つのガードバンドに光を照射してそこからの反射光を捕捉して前記場所マークを読出すための、前記光学テープの前記少なくとも１つのガードバンドの上に位置決めされる少なくとも１つのセンサをさらに含む、請求項１〜６のいずれか１項に記載の装置。
【請求項８】
前記光学系は、第１の波長および第１のパワーレベルで前記少なくとも１つのガードバンド上に前記場所マークを書込むように配置される、請求項７に記載の装置。
【請求項９】
前記少なくとも１つのセンサは、第２の波長および第２のパワーレベルで前記場所マークを読出すように配置され、前記第２の波長は前記第１の波長とは異なり、前記第２のパワーレベルは前記第１のパワーレベル未満である、請求項８に記載の装置。
【請求項１０】
前記複数のレンズは、前記レーザ光線を受け、前記レーザ光線を前記少なくとも１つのガードバンドに向けて、前記場所マークをその上に書込むための球面レンズおよび円柱レンズを備える、請求項１〜９のいずれか１項に記載の装置。
【請求項１１】
光学テープ上にデータおよび場所マークを書込むための装置であって、
前記光学テープの第１のガードバンド上に第１のレーザ光線を送出してその上に第１の場所マークの組を書込む、および
前記光学テープの第２のガードバンド上に第２のレーザ光線を送出してその上に第２の場所マークの組を書込む、ように構成される光学系を備え、前記第１の場所マークの組および前記第２の場所マークの組の各々は、前記光学テープの書込可能セクションに沿って記憶可能な前記データの長手方向位置を示し、前記光学テープ上の場所を示す、装置。
【請求項１２】
光学テープ上のデータおよび場所マークを読出すための装置であって、
前記光学テープの書込可能セクション上に記憶されるデータを読出すための複数の光ピックアップユニット（ＯＰＵ）と、
前記光学テープ上の少なくとも１つのガードバンドから場所マークを読出すための複数のセンサとを備え、前記場所マークは前記書込可能セクション上の前記データの長手方向位置を示し、前記少なくとも１つのガードバンドは前記書込可能セクションの外周上に位置し、前記光学テープ上の場所を示す、装置。
【請求項１３】
光学テープと、
前記光学テープを移動させるためのローラと、
前記光学テープと前記ローラとを収容するためのカートリッジとを備え、
前記光学テープは、書込可能セクションと、少なくとも１つのガードバンドとを含み、
場所マークが前記ガードバンドに書き込まれており、前記光学テープの書込可能セクションに書き込まれているデータの長手方向位置を示し、前記光学テープ上の場所を示す、テープカートリッジ。
【請求項１４】
前記光学テープは、前記少なくとも１つのガードバンド上に書込まれるような前記場所マークを示す一組のデータの組を記憶するためのディレクトリを含む、請求項１３に記載のテープカートリッジ。
【請求項１５】
請求項１３または１４に記載の１つ以上のテープカートリッジと、
データを前記１つ以上のテープカートリッジに格納し、かつ、前記１つ以上のテープカートリッジからデータを読み出すための制御システムとを備える、記憶システム。
【発明の詳細な説明】
【技術分野】
【０００１】
本明細書中に記載の局面は一般的に、光学テープにおいて長手方向位置マークを設けるための装置および方法である。
【背景技術】
【０００２】
背景
記録テープ中の長手方向位置（「ＬＰ」）情報は、テープの長さに沿った所望の長手方向位置へ迅速かつ確実にテープを搬送するようにテープ駆動制御システムを補助する。この状況は、テープドライブがデータを検索するまたはテープの予め指定された空の領域に新しいデータを書込むのにユーザが待つ必要がある時間の量を低減し得る。磁気テープドライブでは、ＬＰ情報がテープ自体に埋込まれ、この場合、このＬＰ情報は、テープカートリッジの製造の際に行なわれるサーボトラック書込プロセスの際に磁気的に書込まれる。
【０００３】
Monen他に対する米国特許第７，６４６，６９４号（「第’６９４号特許）に述べられるような１つの実現例は、記録媒体上のデータトラック識別情報を提供するための方法およびシステムを提供する。
【０００４】
たとえば、第’６９４号特許は、光学テープ中のデータトラックの識別情報を提供するための方法を提供する。方法は、長手方向に光学テープを搬送することと、長手方向を実質的に横断する別の方向に少なくとも１つのレーザ光線で走査することとを備える。方法はさらに、複数の間隔をあけられた記録場所のサイズおよび位置を選択して、間隔をあけられた記録場所の区別可能なパターンを得ることと、複数の間隔をあけられた記録場所からの大多数の場所に複数のサーボマークを記録することとを備え、複数のサーボマークからの各々のサーボマークは実質的にデータトラック上に位置する。方法はさらに、複数の間隔をあけられた記録場所からの予め選択された場所で記録を省略することと、少なくとも１つのレーザ光線を実質的に長手方向上の位置に返すこととを備える。方法はさらに、以上注記したさまざまなステップを繰り返して、光学テープの実質的に始めから光学テープの実質的に終わりまでの光学テープの１回の通過で複数のサーボマークからすべてのサーボマークを形成することを備え、予め選択された場所は識別情報を与えるパターンを構成する。
【発明の概要】
【課題を解決するための手段】
【０００５】
概要
少なくとも１つの実施形態では、光学テープ上にデータおよび場所マークを書込むための装置が提供される。装置は、そこからレーザ光線を送出するための少なくとも１つのレーザ源を含む光学系を備える。光学系はさらに、レーザ光線を受け、レーザ光線を光学テープ上の少なくとも１つのガードバンドに向けて、その上に場所マークを書込むための複数のレンズを含む。場所マークは、光学テープの書込可能セクション上に記憶可能なデータの長手方向位置を示す。
【０００６】
本開示の実施形態を特に添付の請求項で指摘する。しかしながら、添付の図面と関連して以下の詳細な説明を参照することによって、さまざまな実施形態の他の特徴がより明らかになるとともに最もよく理解される。
【図面の簡単な説明】
【０００７】
【図１】１つの実施形態に従う光学テープを示す図である。
【図２Ａ】光学テープに場所マークを書込むための光学系の図である。
【図２Ｂ】光学テープに場所マークを書込むための光学系の図である。
【図３】１つの実施形態に従う光学テープに場所マークを書込むための光学系を示す図である。
【図４】１つの実施形態に従う光学テープからデータを読出すための複数のセンサを示す図である。
【図５】１つの実施形態に従う複数の光ピックアップユニットおよび複数のセンサを示す図である。
【図６】１つの実施形態に従う少なくとも２つの種類の場所マークを示すさまざまな波形を示す図である。
【図７】１つの実施形態に従う光学テープ上の場所マークを書込むおよび読出すための方法を示す図である。
【発明を実施するための形態】
【０００８】
詳細な説明
必要に応じて、本発明の詳細な実施形態を本明細書中に開示するが、開示される実施形態はさまざまな代替的形態で具現され得る発明の例示に過ぎないことを理解すべきである。図は必ずしも縮尺どおりではない。ある特徴は、特定の構成要素の詳細を示すために、誇張されたり最小化されたりすることがある。したがって、本明細書中に開示される具体的な構造的および機能的詳細を限定的に解釈してはならず、本発明をさまざまに用いる当業者に対する教示のための代表的根拠としてのみ解釈すべきである。
【０００９】
本開示の実施形態は一般的に複数の回路または他の電気デバイスを提供する。回路および他の電気デバイスならびに各々によって提供される機能性に対するすべての参照が、本明細書中に図示されかつ説明されるもののみの包含に限定されることを意図するものではない。開示されるさまざまな回路または他の電気デバイスに特定の標識が割当てられることがあるが、そのような標識は、回路および他の電気デバイスの動作の範囲を限定することを意図するものではない。そのような回路および他の電気デバイスは、所望される特定の種類の電気的実現例に基づいて任意の態様で互いに組合されるおよび／または分けられることがある。本明細書中に開示される任意の回路または他の電気デバイスは、本明細書中に開示されるような任意の数の動作を行なうように互いと共同する、任意の数のマイクロプロセッサ、集積回路、メモリデバイス（たとえば、ＦＬＡＳＨ、ＲＡＭ、ＲＯＭ、ＥＰＲＯＭ、ＥＥＰＲＯＭ、または他の好適なその変形）、およびソフトウェアを含んでもよいことが認められる。
【００１０】
光学テープにおける長手方向位置（ＬＰ）（または場所）マークを用いることにより、テープ駆動制御システムがテープに沿って長手方向位置を探索できるようになる。この局面は、テープドライブがテープ上のデータを検索するまたはテープの空の領域に新しいデータを書込み始めるのを顧客が待つ必要がある時間の量を低減し得る。そのような場所マークは、光学テープの少なくとも１つの端縁（またはガードバンド）に沿って未書込領域に光学的に記録され得る。これらの局面およびその他を以下により詳細に説明する。
【００１１】
図１は、１つの実施形態に従う光学テープ１０を示す。光学テープ１０は一般的に、データ１１がそこに書込まれるまたは記憶されることができるデータ記憶と関連して用いられる。光学テープ１０は、レーザ源２４（図２を参照）または他の好適なデバイスがデータ１１をそこに書込めるように構成される書込可能セクション１２を含む。複数のガードバンド１４ａ−１４ｎ（「１４」）がテープ１０上に設けられる。ガードバンド１４は、一般的には、データ１１を受けるまたは記憶する目的に用いられないテープ１０の領域である。一般的に、そのようなガードバンド１４は、書込可能セクション１２が破損されないようにする障壁として働くことがあり、光学テープ１０が別の対象物と接するときの最初の接点となる。ガードバンド１４は一般的に、書込可能セクション１２を保護するように配置される。ガードバンド１４の各々は０．５ｍｍまでまたは他の好適な寸法の幅を有し得る。
【００１２】
光学テープ１０は一般的に、テープ１０自体に沿った長手方向位置を示す場所マーク１６を含む。そのような場所マーク１６はガードバンド１４上に位置決めされてもよい。以前は、場所マーク１６は、記憶されるデータ１１とともに、テープの書込可能セクション１２に書込まれるか、またはそこに記憶されていた。単一の光学テープ１０およびその対応の書込可能セクション１２は非常に長い距離にわたって延在してもよい。本明細書中で設けられるような場所マーク１６は一般的に、テープドライブのテープ駆動制御システム（または制御システム）１７が探索する、またはそのような制御システム１７がテープ１０に対してどこに設けられるかについての情報を与えるのを可能にする。場所マーク１６は一般的に、制御システム１７に対して、それがテープ１０自体に対してどこに位置するかを示す目安となる。制御システム１７は一般的に、ドライブ内のすべてのサブシステムの行為を協調させる。たとえば、制御システム１７は、特定のテープカートリッジ上のデータ１１の組の記憶または検索を要求するコンピュータから信号を受信し得る。制御システム１７は、検索すべき予め記録されたデータの長手方向位置またはデータ１１を書込むことができるテープ１０の未書込領域の位置を示すディレクトリ１８からデータ１１を読出してもよい。ディレクトリ１８は一般的に、テープ１０の始めに位置し得るテープ１０の特別な領域である。制御システム１７は、テープ１０を所望の長手方向位置に搬送し、光ピックアップユニット（ＯＰＵ）を作動させ、長手方向位置を確認し、かつ到達すると所望の長手方向位置でデータ１１の読出または書込を開始するように、テープ搬送モータ１９に命令してもよい。
【００１３】
場所マーク１６は、どこでテープ１０からデータ１１を読出すかおよびテープ１０の書込可能セクション１２の未書込部分にデータ１１をどこで書込むかを決める機構として、制御システム１７によって用いられる。１つの例では、場所マーク１６は、制御システム１７がテープ１０からどの程度遠くにあるかについての指標となり得る。以上注記したように、ガードバンド１４上に書込まれるような場所マーク１６の記録はディレクトリ１８に記憶される。このように、データ１１の部分が対応の場所マーク１６で読出されるべき場合は、制御システム１７は、ディレクトリ１８にアクセスして場所マーク１６を探索し、そのデータの組に対応するテープ１０上の所望の場所マーク１６に移動し、これを読出してもよい。同様に、制御システム１７は、そのような動作が望まれる場合は、データを書込む目的のために、書込可能セクション１２の未書込部分に対応する場所マーク１６を認識してもよい。この場合、制御システム１７は、ディレクトリ１８にアクセスして場所マーク１６を探索する。示されるように、ガードバンド１４ａは書込可能セクション１２の外周上に位置する。さらに、ガードバンド１４ｎは書込可能セクション１２の反対側の外周上に位置する。
【００１４】
図２Ａは、１つの実施形態に従う光学テープ１０に場所マーク１６を書込むための光学系２０を示す。光学系２０は、第１の複数のレンズ２２ａ−２２ｎ（「２２」）、第２の複数のレンズ２３ａ−２３ｎ（「２３」）、および複数のレーザ源２４ａ−２４ｎ（「２４」）を含む。各々のレーザ源２４は、場所マーク１６を対応のガードバンド１４に書込むためのレンズ２２および２３のグループ分けにわたってレーザ光線を送出し得る。たとえば、レーザ源２４ａは、場所マーク１６をガードバンド１４ａ上に書込むためにレンズ２２ａおよび２３ａにわたってレーザ光線を送出する。同様に、レーザ源２４ｂは、場所マーク１６をガードバンド１４ｂ上に書込むためにレンズ２２ｂおよび２３ｂにわたってレーザ光線を送出する。複数のレンズ２２は球面レンズとして実現されてもよく、複数のレンズ２３ｂは円柱レンズとして実現されてもよい。一般的に、球面レンズおよび円柱レンズは、レーザ光線で、整形された線分を作り出し、場所マーク１６をガードバンド１４に書込む。
【００１５】
図２Ｂは、１つの実施形態に従って場所マーク１６を光学テープ１０に書込むための光学系２０′を示す。光学系２０′は、単一のレンズ２２および単一のレンズ２３および複数のレーザ源２４を含む。一般的に、各々のレーザ源２４ａおよび２４ｎは、場所マーク１６をガードバンド１４に書込むために、レーザ光線をレンズ２２およびレンズ２３を通して送出する。示されるように、レーザ源２４ａは、レンズ２２およびレンズ２３を通してレーザ光線を送出し、これは、テープ１０を横切ってガードバンド１４ｎの上にレーザ光線を向ける。同様に、レーザ光線２４ｎは、テープ１０を横切ってガードバンド１４ａの上にレンズ２２およびレンズ２３を通してレーザ光線を送出する。以上注記したように、レンズ２２は球面レンズとして実現されてもよく、レンズ２３は円柱レンズとして実現されてもよい。
【００１６】
図３は、１つの実施形態に従って場所マーク１６を光学テープ１０に書込むための光学系２０または２０′（以下「２０」）のより詳細な図を示す。ガードバンド１４のうち１つが後の時点で破損する状況に対応するために、場所マーク１６を各々のガードバンド１４に書込むことが望ましいことがある。しかしながら、場所マーク１６はガードバンド１４のうち１つにのみ書込まれてもよいことが認められる。回転エンコーダ２６は、光学系２０に動作可能に結合される。場所マーク１６書込プロセスの際、テープ１０が上を通り過ぎて、ローラ２８（たとえばキャプスタンローラ）と接する。ローラは、（ｉ）光学系２０下のテープ１０の表面を安定させ、（ｉｉ）エンコーダ２６を用いてテープの速度を測定し、テープ１０上の場所マーク１６がほぼ正確であるように、光学系２０が発する場所マーク１６書込パルスを電子的に同期させる。
【００１７】
ローラ２８は回転して、第１の方向３０に沿ってカートリッジアセンブリ（図示せず）に対してテープ１０を移動させる。ローラ２８は、光学系２０下のテープ１０を移動させて、ガードバンド１４の空のセクションがレーザ源２４から場所マーク１６を受けられるようにする（すなわち、ガードバンド１４の空のセクションに場所マーク１６が書込まれる）。ローラ２８は、テープ１０を搬送するモータに接続されても接続されなくてもよい。光学系２０はガードバンド１４上に同時に場所マーク１６を書込んでもよい。一般的に、光学系２０がガードバンド１４上に場所マーク１６を書込む態様は、テープ１０がカートリッジ（図示せず）におよび次にＬＰ書込テープデッキ（図示せず）に組立てられた後に行なわれてもよい。
【００１８】
さらに、ガードバンド１４上への場所マーク１６の書込は、テープ１０にコーティング（図示せず）が塗布された後のテープ１０製造プロセスの際に実行されてもよい。一般的に、光学コーティングはテープ１０上にスパッタリングされる。この場合、そのようなコーティングは、レーザ源２４による書込プロセスの間操作されて、書込可能セクション１２上の書込または記憶データとなる。この局面は、レーザ源２４による書込プロセスの際にそのようなコーティングが操作もされて場所マーク１６となるように光学コーティングがガードバンド１４上にスパッタリングされるように拡張されてもよい。場所マーク１６をガードバンド１４上に置くことにより、書込スペースのいずれも、テープ１０の書込可能セクション１２から排除されない。
【００１９】
図４は、１つの実施形態に従う、光学テープ１０のガードバンド１４から場所マーク１６を読出すための複数の反射式近接センサ３４ａ、３４ｎを示す。センサ３４（たとえば、センサ３４ａおよび３４ｎを参照）は、ガードバンド１４から場所マーク１６を読出すための光学ドライブのテープ経路の中に位置決めされてもよい。
【００２０】
図５は、複数のＯＰＵ３６ａ−３６ｎ（「３６」）および近接センサ３４を一般的に示す。ＯＰＵ３６は一般的に、近接センサ３４がガードバンド１４から場所マーク１６を読出す間にデータ１１を書込可能セクション１２から読出すように配置される。データを書込可能セクション１２から読出すのに、任意の数のＯＰＵ３６を用いてもよいことが認められる。ＯＰＵ３６はデータ１１をテープ１０に書込んでもよい。場所マーク１６を読出すためのセンサ３４の組と、データを書込可能セクション１２から読出すためのＯＰＵ３６とを設けることにより、そのような状態は、テープ搬送の間にデータを読出すまたは書込むのにすべてのＯＰＵ３６を利用可能であることを確実にし得る。
【００２１】
図６は、ガードバンド１４上の少なくとも２つの種類の場所マーク１６を示すさまざまな波形４０、４２を示す。波形４０は一般的に、２つの交互の反射率レベル（たとえば明および暗）として、レーザ源２４を介してガードバンド１４上に書込まれるような場所マーク１６を示す。レーザ源２４（図３を参照）は、ガードバンド１４上に異なる反射率レベルで場所マーク１６を書込んでもよい。テープ１０などの光学媒体の場合、レーザ光線は、低反射率から高反射率へ（たとえば「明の書込」または代替的に「暗の書込」）媒体の反射率を変更してもよい。場所マーク１６は、媒体またはテープ１０の種類に依存して、いずれのやり方で書込まれてもよい。場所マーク１６とデータ１１との間の差は、それらの寸法においてである。一般的に、場所マーク１６はサイズが数１０から数１００ミクロンであり得る一方で、データマークはサイズがミクロン以下であり得る。一般的に、図４で示されるような反射式近接センサ３４を、波形４０で示されるような場所マーク１６を読出すのに用いてもよい。たとえば、波形４０内のさまざまな高い点４４ａ−４４ｎ（「４４」）（図６を参照）は一般的に高出力（たとえば「１」）を示し、波形４０内のさまざまな低い点４６ａ−４６ｎ（「４６」）は一般的に低出力（たとえば「０」）を示す。
【００２２】
高い点４４は明反射率レベルでガードバンド１４に書込まれてもよく、低い点４６は暗反射率レベルでガードバンド１４に書込まれてもよい。センサ３４は、光を場所マーク１６上に照射して、ガードバンド１４から反射された画像を捕捉するように配置されてもよい。センサ３４は、これらの点４４、４６の反射率レベル（たとえば高い点４４については明、低い点４６については暗）によって変わる、高い点４４および低い点４６からの反射光を検出するように配置される。光がセンサ３４によって向けられるのに応答した反射率レベルのこの変化が、高い点４４と低い点４６との間の識別可能な差を作り出して、センサ３４がガードバンド１４上の場所マーク１６を読出せるようにする。
【００２３】
波形４２は、空の（マークされていない）セクション４８ａ−４８ｎ（「４８」）および変調（またはパルス化）領域５０ａ−５０ｎ（「５０」）としてレーザ源２４を介してガードバンド１４上に書込まれるような場所マーク１６を一般的に示す。空のセクション４８は一般的に低出力（たとえば「０」）を示す。パルス化セクション５０は一般的に高出力（たとえば「１」）を示す。一般的に、高周波に基づくセンサ６４ａ−６４ｎ（「６４」）（図４を参照）を用いて空のセクション４８およびパルス化セクション５０を検出してもよい。たとえば、センサ６４は、ガードバンド１４からの特定の周波数（または波長）の回折光を検出して、特定の波長でそれからのレーザ光線（または発光ダイオード（ＬＥＤ）からの光）を照射するのに応答してガードバンドから場所マーク１６を読出す。
【００２４】
図７は、１つの実施形態に従う、光学テープ１０上に場所マーク１６を書込むおよび読出すための方法８０を示す。
【００２５】
動作８２で、レーザ源２４は、第１のパワーレベルおよび第１の波長（または第１の周波数）のレーザ光線で場所マーク１６をガードバンド１４上に書込む。
【００２６】
動作８４で、センサ６４は、ガードバンド１４から場所マーク１６を読出して、第２のパワーレベルおよび第２の波長でテープの場所を確かめる。ガードバンド１４上の場所マーク１６を書込むのに、第１のパワーレベル未満の第２のパワーレベルを用いる。
【００２７】
一般的に、センサ６４が投影するレーザ（またはＬＥＤからの光）のパワーレベルが、ガードバンド１４に場所マーク１６を書込むために対応のレーザ源２４が用いるパワーレベル未満である限り、センサ６４は、任意の数の周波数（または波長）で場所マーク１６を読出すように配置されてもよいことが認められる。センサ６４が投影するレーザ（またはＬＥＤに基づく光線）が、レーザ源２４が場所マーク１６を書込むのに用いるパワーレベルを超えると、この状態は、ガードバンド１４上に記録される既存の場所マーク１６を上書きし得る。１つの例では、パワーレベルが、場所マーク１６の元の組を書込むのにレーザ源２４が用いるパワーレベルを超えない限り、青色レーザが４０５ナノメータでセンサ６４から投影されて、場所マーク１６を読出してもよい。
【００２８】
例示的な実施形態を上述したが、これらの実施形態が発明のすべての可能な形態を記載することが意図されるわけではない。むしろ、明細書で用いられる用語は、限定よりもむしろ説明の用語であり、発明の精神および範囲から逸脱することなくさまざまな変更がなされてもよいことが理解される。加えて、さまざまな実現実施形態の特徴を組合せて発明のさらなる実施形態を形成してもよい。
【図１】
0006316306.tif 000002
【図２Ａ】
0006316306.tif 000003
【図２Ｂ】
0006316306.tif 000004
【図３】
0006316306.tif 000005
【図４】
0006316306.tif 000006
【図５】
0006316306.tif 000007
【図６】
0006316306.tif 000008
【図７】
0006316306.tif 000009